(57)【要約】  男性の失禁用製品（１００）と失禁用製品を収容するためのパッケージ（２００；６００；７００；８００；９００；１０００）との組合せにおいて、失禁用製品はカラー部（１１０）を形成するために巻き上げられる陰茎シースを含む。失禁用製品、外部カテーテルまたはウリドーム（ｕｒｉｄｏｍ）は、集尿バッグに連結するための排液チューブを含む。パッケージ中で失禁用製品は折り畳まれる。コンパクトなパッケージを提供するために、この組合せはパッケージが閉鎖されるとき失禁用製品を折畳み状態に保持する少なくとも１つの保持要素（２０４；２０６；２４６；６０４；７０４；８０４；９０４；１００４）を含む。この組合せを製造する方法は、射出成形によって単一ピースとしてパッケージを成形する工程を含んでよい。
2009509703.tif 000002
【特許請求の範囲】
【請求項１】
男性の失禁用製品と巻上げ形態で前記失禁用製品を収容するパッケージとの組合せであって、前記失禁用製品が、
−使用時に巻き戻されてユーザーの陰茎の長さのための空洞を形成しかつ前記失禁用製品の巻上げ形態において前記失禁用製品の近位カラー部を形成するために巻き上げられる陰茎シース、及び
−前記シースの前記空洞を集尿装置に接続するための排液部を含み、
前記陰茎シース及び前記排液部のうち少なくとも一方が前記失禁用製品の巻上げ形態のとき前記失禁用製品の折畳みを可能にするのに充分に可撓性であり、
前記組合せが、前記パッケージの閉鎖時に前記巻き上げられた失禁用製品を折畳み状態に保持する少なくとも１つの保持要素をさらに含む、組合せ。
【請求項２】
前記失禁用製品の長手が、折畳み状態のときに、非折畳み状態のときよりも小さい、請求項１に記載の組合せ。
【請求項３】
折畳み状態のときに前記排液部によって形成される軸が前記シースの中心線と異なる方向へ伸びる、請求項２に記載の組合せ。
【請求項４】
前記失禁用製品の横幅が、折畳み状態のときに、非折畳み状態のときよりも小さい、請求項１〜３のいずれか一項に記載の組合せ。
【請求項５】
前記保持要素が前記パッケージの壁と一体である、請求項１〜４のいずれか一項に記載の組合せ。
【請求項６】
前記保持要素が、折畳み形態の前記失禁用製品の周りに結び付けられるストリップを含む、請求項１〜５のいずれか一項に記載の組合せ。
【請求項７】
前記排液部が、巻き上げられた前記失禁用製品の折畳み状態において折り曲げられている、請求項１〜６のいずれか一項に記載の組合せ。
【請求項８】
前記カラー部が、巻き上げられた前記失禁用製品の折畳み状態において折り曲げられている、請求項１〜７のいずれか一項に記載の組合せ。
【請求項９】
前記パッケージが実質的剛性のパッケージ上部及び下部を含む、請求項１〜８のいずれか一項に記載の組合せ。
【請求項１０】
前記パッケージ上部と下部が前記パッケージの縁部に配備されるヒンジ要素でヒンジ留めされている、請求項９に記載の組合せ。
【請求項１１】
前記パッケージに対して前記失禁用製品を保持するために前記パッケージが前記カラー部と係合する突起を含む、請求項９または１０に記載の組合せ。
【請求項１２】
前記失禁用製品が前記パッケージ上部と下部のうち一方を他方から離れるように付勢し、かつ前記パッケージが前記パッケージ上部及び下部を閉鎖形態に保持するための閉鎖要素を含む、請求項１０または１１に記載の組合せ。
【請求項１３】
前記閉鎖要素が、前記パッケージ下部及び上部のうち一方にヒンジ留めされかつパッケージ部の他方と離脱可能に係合するように構成されている、請求項１２に記載の組合せ。
【請求項１４】
前記パッケージの少なくとも閉鎖形態において、前記顎要素の第一部がヒンジ留めされる前記パッケージ上部及び下部のうちの１つの連続部を形成する、請求項１３に記載の組合せ。
【請求項１５】
前記顎要素の第二部が前記パッケージ上部及び下部のうちの他方の少なくとも一部に重なる、請求項１３または１４に記載の組合せ。
【請求項１６】
前記突起が前記ヒンジ要素と一体である、請求項１１〜１５のいずれか一項に記載の組合せ。
【請求項１７】
前記パッケージ上部と下部がスライド連結手段によって相互に連結される、請求項９に記載の組合せ。
【請求項１８】
前記パッケージ上部及び下部が前記パッケージの開放形態及び閉鎖形態を形成し、かつ前記パッケージの閉鎖形態において、前記パッケージの高さが前記パッケージの幅の最大で１／３であり、かつ前記幅が最大で８０ｍｍである、請求項９〜１７のいずれか一項に記載の組合せ。
【請求項１９】
前記パッケージ上部及び下部のうち少なくとも一方が厚部を有する、請求項９〜１８のいずれか一項に記載の組合せ。
【請求項２０】
前記ヒンジ要素が前記パッケージ下部の下面で前記パッケージ下部にヒンジ留めされ、かつ前記ヒンジ要素が前記パッケージ上部の上面で前記パッケージ上部にヒンジ留めされ、それによって、前記パッケージの閉鎖形態において、前記ヒンジ要素が前記パッケージの端壁の一部を形成する、請求項１０〜１９のいずれか一項の組合せ。
【請求項２１】
前記パッケージ上部及び下部のうち少なくとも一方が起立縁壁を形成し、かつ前記縁壁及び前記ヒンジ要素のうち少なくとも一方が、前記縁壁と前記ヒンジ要素との相互係合を可能にする突起を含む、請求項２０に記載の組合せ。
【請求項２２】
前記パッケージが単一射出成形要素として形成されている、請求項１〜２１のいずれか一項に記載の組合せ。
【請求項２３】
男性の失禁用製品とそのためのパッケージとの組合せを製造するための方法であって、男性の前記失禁用製品が、
−前記失禁用製品の近位カラー部を形成するために巻き上げられる陰茎シース、及び前記シースの空洞を集尿バッグに連結するための排液部を含み、前記陰影シース及び前記排液部のうち少なくとも一方が、前記失禁用製品の巻上げ形態のときに前記失禁用製品の折畳みを可能にするのに充分な可撓性であり、
前記方法が、
−開放状態の前記パッケージを形成する工程と、
−前記パッケージの中に前記失禁用製品を設置する工程と、
−前記失禁用製品を折り畳む工程と、
−前記失禁用製品が前記閉鎖パッケージの中に折畳み状態で保持されるように前記パッケージを閉鎖する工程と、
を含む、方法。
【請求項２４】
折畳み及び閉鎖の前記工程が事実上同時に行われる、請求項２３に記載の方法。
【請求項２５】
前記パッケージが実質的剛性のパッケージ上部及び下部、及び前記パッケージ下部の下面で前記パッケージ下部にヒンジ留めされかつ前記パッケージ上部の上面で前記パッケージ上部にヒンジ留めされるヒンジ要素を含み、前記パッケージを形成する工程において、前記ヒンジ要素が前記下面及び前記上面と実質的に同軸に伸び、前記方法が、さらに、
−前記ヒンジ要素を前記パッケージ上部及び下部のうち一方によって形成される起立縁壁と係合させる工程を含み、前記係合させる工程が前記パッケージの中に前記失禁用製品を置く工程の後に行われる、請求項２４に記載の方法。
【請求項２６】
前記パッケージを形成する工程が射出成形によって前記パッケージの少なくとも一部を形成する工程を含む、請求項２３−２５のうちいずれか一項に記載の方法。
【請求項２７】
前記パッケージ上部及び下部及びヒンジ要素が単一射出成形要素として形成される、請求項２６に記載の方法。
【発明の詳細な説明】
【技術分野】
【０００１】
本発明は男性の失禁用製品及びそのためのパッケージに関する。失禁用製品は、製品がパッケージの中にあるときカラー部を形成するために巻き上げられる陰茎シースを含む。失禁用製品はさらにシースの空洞を集尿バッグに連結するための排液部を含む。文献によって、このタイプの失禁製品は外部カテーテル、ウリドーム（ｕｒｉｄｏｍｓ）またはウリシース（ｕｒｉｓｅａｔｈｓ）と呼ばれる。
【背景技術】
【０００２】
ＷＯ９１／１７７２８号は上記のタイプの男性の失禁用製品を開示している。この失禁用製品は陰茎シースすなわち「本体部」を含み、陰茎シースは、近位カラー部を形成するために陰茎用シースを巻き上げた巻上げ形態でユーザーに届けられる。使用時に、シースは、ユーザーの陰茎の周りにぴったりとした嵌合する。任意に、シースの内面に接着剤が施される。シースによって形成される空洞は失禁用製品の遠位排液部すなわち「排液チューブ」と連絡して、尿が集尿バッグの中に流れるようにする。排液部の少なくとも遠位管状部は集尿バックへの連結を可能にするために陰茎シースに比べて比較的厚い壁厚を有する。排液部はシースと排液部の遠位管状部との間の遷移部を形成する漏斗様部品を含むことができる。集尿バッグは、通常、失禁用製品の構成部分を形成せず、別個の実体としてユーザーに提供される。使用時に、集尿バッグをユーザーの脚の一方に固定できると便利である。
【０００３】
図１は先行技術のパッケージ１０２に配置される上記のタイプの失禁用製品１００を示している。パッケージは、パッケージが開放されるときに２つの端部の一方において引き裂かれる２枚のプラスチック材のホイルを含む。パッケージの中で、失禁用製品はすぐに使用可能な形態で保管され、遠位管状端部１０６は蛇腹形連結部１０８と同軸に伸びかつ陰茎シースは巻き上げられて近位カラー部を形成する。従って、排出部は遠位管状部１０６及び蛇腹形連結部１０８を含む。パッケージを図１に示される通り透明の窓１１２を有する全体に不透明のものにすることができる。この窓を通じて外から失禁用製品１００が見える。図１のパッケージの寸法はパッケージに収容される製品の固有の寸法に応じて変動可能である。一般に、パッケージの寸法は８−１０ｃｍ×１０−１５ｃｍであり、３−５ｃｍの厚みを有する。
【０００４】
避妊具と異なり失禁用製品は長手方向に伸びる排液部を特徴とするので図１の先行技術パッケージは多少場所をとる。さらに、パッケージは取り扱われるときまたは単にユーザーのポケットに納められるときでもかさかさ音を立てる傾向がある。そのため、図１のパッケージは旺々にして望まれるような目立たないものではない。
【発明の開示】
【発明が解決しようとする課題】
【０００５】
従って、本発明の課題は、目立たなくかつ先行技術のパッケージより占める空間が小さい男性の失禁用製品とそのパッケージとの組合せを提供するにある。本発明の他の課題は、使い易くかつ妥当なコストで製造できるこの種の組合せを提供することである。本発明のさらに他の課題は、男性の失禁用製品とそのためのパッケージとの組合せを製造するための方法を提供することであり、この方法は、自動化されたコスト効率の良い梱包を可能にし、かつ先行技術のパッケージの欠点の少なくとも一部を克服する失禁用製品とパッケージとの組合せを提供する。
〔発明の概要〕
【０００６】
第一実施形態において、本発明は男性の失禁用製品と巻上げ形態で失禁用製品を収容するパッケージとの組合せを提供し、失禁用製品は、
−使用時に巻き戻されてユーザーの陰茎の長さのための空洞を形成しかつ前記失禁用製品の巻上げ形態において前記失禁用製品の近位カラー部を形成するために巻き上げられる陰茎シース、及び
−前記シースの前記空洞を集尿装置に接続するための排液部を含み、
前記陰茎シース及び前記排液部のうち少なくとも一方が前記失禁用製品の巻上げ形態のとき前記失禁用製品の折畳みを可能にするのに充分に可撓性であり、
前記組合せが、前記パッケージの閉鎖時に前記巻き上げられた失禁用製品を折畳み状態に保持する少なくとも１つの保持要素をさらに含む。
【０００７】
一般にパッケージが閉鎖されているときに保持要素は失禁用製品がパッケージの中で折畳み状態に保持されるようにするので、この組合せは失禁用製品のコンパクトな保管を可能にする。一実施形態において、失禁用製品の横幅を縮小するためにカラー部を単に圧縮または平坦化することによって、すなわちカラー側面を相互に対して押し付けることによって失禁用製品を折り畳むことができる。他の実施形態において、排液部を初期位置から折り曲げることができる。すなわち排液部の中心軸または排液部の一部の中心軸が巻き上げたシースの中心軸と同軸に伸びないように折り曲げることができる。それによって、失禁用製品の長手が縮小する。例えば、排液部の漏斗様近位部を折畳み状態に折り曲げまたは折り畳むか、排液部を排液部の遠位管状部と漏斗状近位部との間の遷移部で折り曲げることができる。機械的安定性及び改良された屈曲能力を得るために漏斗状部を例えば蛇腹形とすることができる。この場合、蛇腹形連結部を折り畳むことによって折畳み状態を得ることができ、それによって排液部の遠位管状部をその初期位置から折り曲げることなく失禁用製品の長手は縮小する。また、遠位管状部自体を蛇腹形にしまたは巻き上げるようにしてよりコンパクトな折畳み形態を可能にすることも想定される。
【０００８】
ＷＯ９１／１７７２８号において詳述されるとおりにラテックス材から陰茎シース及び排液部を作ることができる。一般に、シース及び排液部の材料は架橋エラストマーまたは熱可塑性エラストマーから選択される。架橋エラストマーは例えばラテックス及びシリコーンであり、熱可塑性エラストマーは例えばＳＥＢＳ（スチレン−エチレン−ブチレン−スチレン）である。他の実施形態においてシース及び排液部はシリコーン材またはその代わりにＳＥＢＳ材で作られる。これは、１年間など長期に折畳み状態で失禁用製品が保管されたとしても材料の永久的変形を事実上全く生じない、と言うラテックスを凌ぐ利点を有する。
【０００９】
本発明の実施形態において、パッケージが開放されるときまたは失禁用製品がパッケージから外されるときに製品がその折畳み状態からすぐに使用できる非折畳み状態へ変形するように、保持要素をパッケージの壁と一体にすることができる。例えば、保持要素をパッケージの一部によって構成することができる。その代わりに、折畳み形態の失禁用製品の周りに保持要素を結び付けることができ、保持要素は例えば可撓性要素、ゴムバンドまたはストリップを含むことができる。後者の実施形態において、パッケージは、ストリップの他に、失禁用製品の汚染を防止するために例えばプラスチックホイルから作られるバッグまたはポーチを含むことができる。ストリップをバッグまたはポーチに連結するか、またはストリップを失禁用製品だけに連結される個別の実体とすることができる。保持要素はさらに、例えばストリップの一部として形成される２つのグリップを備えることができる。グリップが引き離されると、ストリップが引き裂かれまたは開けられて、失禁用製品が非折畳み状態になるようにする。
【００１０】
パッケージは、例えばプラスチック材の射出成形によって製造される実質的剛性のパッケージ上部及び下部を含むことができる。この文脈において、「実質的剛性」とは、失禁用製品がパッケージに収容されるときに製品が広がるのを防止するのに充分な剛性をパッケージ上部及び下部の特徴とすることを意味する。好ましくは、パッケージ上部及び下部の各々の形状及び寸法は実質的に手で変形不能である。一実施形態において、パッケージ上部はパッケージ下部のためのねじキャップを形成することができる。その代わりに、上部とパッケージ下部を摩擦係合によって、スナップ係止によってまたはストリップによって固定することができる。さらに別の形態においては、パッケージ下部だけが剛性であり、パッケージ上部はパッケージ下部から引き剥がれるホイルを含む。さらに別の形態は、スライドして相互結合する。すなわちスライドする蓋の形のパッケージ上部を提供する。最後に、下にさらに詳しく説明する通り、パッケージの縁部に配備されるヒンジ要素でパッケージ上部とパッケージ下部をヒンジ留めすることができる。下にさらに詳しく説明する通り、カラー部と係合するための突起をヒンジ要素と一体にすることが好都合である。
【００１１】
少なくとも部分的にパッケージに対して失禁用製品を保持するために、パッケージに、カラー部と係合する突起を配備することができる。突起は、例えばヒンジ要素からまたはパッケージ上部及び下部のうち一方の側壁から伸びてよい。他の手段として、カラー部及び／または排液部の内面か外面に対して中心に伸びる一つまたはそれ以上の突起を配備することができる。
【００１２】
失禁用製品がパッケージ上部及び下部のうち一方を他方から付勢する場合この組合せの取扱いを容易にすることができる。このような実施形態において、パッケージはパッケージ上部とパッケージ下部を閉鎖形態に保持する閉鎖要素を含むことができる。パッケージを開放するために閉鎖要素が閉鎖解除されるときに、失禁用製品はパッケージの開放を助ける。好ましくは、パッケージはパッケージが開放されると失禁用製品を何ら処理する必要なく失禁用製品がすぐに使用できる非折畳み形態へ広がるようにする。このようにして、失禁用製品のユーザーによる取扱いはパッケージからの製品の取出し及びその後の装着に限定される。パッケージ上部とパッケージ下部を閉鎖パッケージ形態に保持する閉鎖要素は顎要素を含むことができる。顎要素はパッケージ下部及び上部のうち一方にヒンジ留めされ、かつパッケージ下部及び上部のうち他方と離脱可能に係合するように配置される。このような解除可能な係合は例えばノッチ−突起の相互結合によって得られる。要求される解除可能性は、関係するパッケージ部及び顎要素が作られる材料の弾性によって得られると都合が良い。ユーザーのためのしっかりしたグリップを提供するために、顎要素はパッケージの幅または長さ全体に伸びることができ、顎の端部はグリップ縁を形成することができる。顎要素の第一部が、ヒンジ留めされるパッケージ上部及び下部のうちの一方の連続部を形成する場合にパッケージをしっかりと閉鎖形態に保持できる。例えば、顎要素がパッケージ下部にヒンジ留めされる場合、顎要素の第一部は下面の端縁に単にヒンジ留めされるのではなくパッケージの下面の延長部またはその一部を形成する。同様に、顎要素の第二部は、顎要素の第一部がヒンジ留めされない他方のパッケージ部の少なくとも一部に重なる。例えば、顎要素の第二部は、パッケージが閉鎖されるときにパッケージ上部に重なる。ヒンジ要素がパッケージ上部とパッケージ下部とを相互に連結する縁とは反対側のパッケージの縁に顎要素が配備されることが好都合である。
【００１３】
パッケージ中に折畳み状態で失禁用製品を保管することはコンパクトなパッケージ設計を可能にする。本発明の実施形態において、パッケージは閉鎖されるときに比較的平らである。すなわち、パッケージの高さはパッケージの幅または直径のせいぜい１／４または１／５等、パッケージの幅または直径のせいぜい１／３である。パッケージの幅または直径は、３５−６０ｍｍなど３０−６０ｍｍなど３０−７０ｍｍ等、一般に３０−８０ｍｍの範囲である。この文脈において、「幅または直径」の用語は、平面投影で見たパッケージの最大横断寸法として理解されるものである。パッケージの高さは一般に８−１２ｍｍ、７−１３ｍｍ、５−１５ｍｍ等一般に５−２０ｍｍの範囲である。高さはパッケージの幅全体で一定である必要はない。例えば、失禁用製品の排液部がその初期位置から折畳み状態に折り曲げられるまたは折り畳まれると、排液部は、通常、カラー部の周囲を越えて伸びる。排液部の遠位端が折り畳まれた失禁用製品の残部の高さより小さい高さまで圧縮されると、排液部の遠位端を収納するパッケージの部分は同様にパッケージの残部より低い高さを有する。パッケージの下面は平面上、例えば机の上で安定した支持を得るために実質的に平面であることが好ましい。
【００１４】
パッケージ上部及び下部のうち少なくとも一方は厚部を有することができる。例えば補強のために厚部を配備することができる。ただし、例えば射出成形によるパッケージの製造を最適化するために厚部を配備することもできる。例えば、パッケージが単一要素として射出成形によって製造される場合、金型の入り口から金型の遠隔ゾーンへの液状プラスチック材の移送は、結果として上述のパッケージの厚部となる溝またはトレイル（ｔｒａｉｌ）が金型に存在することによって助けられる。上述の通り製造を最適化することによって、残りの材料を厚部に比べて薄く形成することができるので、軽量のパッケージを提供することができる。
【００１５】
前述のごとく、パッケージは、ヒンジ要素によって相互にヒンジ留めされるパッケージ上部及び下部を含んでよい。一実施形態において、パッケージ下部の下面でパッケージ下部にヒンジ要素をヒンジ留めすることができ、同様に、パッケージ上部の上面でパッケージ上部にヒンジ要素をヒンジ留めしてよい。このように、パッケージの閉鎖形態において、ヒンジ要素はパッケージ端壁の一部を形成し、それにより、ヒンジ要素の高さは基本的にパッケージの高さに等しい。パッケージ上部及びパッケージ下部のうち少なくとも一方、好ましくは両方が、パッケージの閉鎖時にパッケージ上部と下部を制御された相互間距離に維持しかつ汚染のパッケージへの浸入を防止するために起立の縁壁を形成してよい。縁壁及びヒンジ要素のうち少なくとも一方が突起を含み縁壁とヒンジ要素が相互に係合できる（すなわち「カチッと嵌合する」）ように縁壁及びヒンジ要素を配置することができる。一実施形態において、ヒンジ要素の自由端の各々は、ヒンジ要素をパッケージ下部の縁壁から離脱可能に係合する突起を含む。パッケージの閉鎖時にパッケージ上部と下部が適切に整合するようにしかつパッケージの機械的安定性に寄与するために相互ガイドを構成するようにパッケージ上部及び下部の縁壁を成形することができる。
【００１６】
第二形態において本発明は男性の失禁用製品とそのためのパッケージとの組合せを製造するための方法を提供し、この方法において、男性の失禁用製品は、
−前記失禁用製品の近位カラー部を形成するために巻き上げられる陰茎シース、及び前記シースの空洞を集尿バッグに連結するための排液部を含み、前記陰影シース及び前記排液部のうち少なくとも一方が、前記失禁用製品の巻上げ形態のときに前記失禁用製品の折畳みを可能にするのに充分な可撓性であり、
前記方法が、
−開放状態の前記パッケージを形成する工程と、
−前記パッケージの中に前記失禁用製品を設置する工程と、
−前記失禁用製品を折り畳む工程と、
−前記失禁用製品が前記閉鎖パッケージの中に折畳み状態で保持されるように前記パッケージを閉鎖する工程と、
を含む。
【００１７】
従って、本発明の第一形態に関連して上述した利益及び長所を特徴とする失禁用製品とパッケージとの組合せを本発明の方法によって製造することができる。この方法は低コストで自動的に実施できる。工程は必ずしも上記の順番ではなく、例えば現在望ましい一実施形態において、折畳みと閉鎖の工程は事実上同時に行われる。
【００１８】
前記方法の一実施形態において、パッケージは実質的剛性のパッケージ上部及び下部及びパッケージ下部の下面でパッケージ下部にヒンジ留めされかつパッケージ上部の上面でパッケージ上部にヒンジ留めされるヒンジ要素を含む。このようにして、初期に、ヒンジ要素が実質的に上述の下面及び上面と同軸に伸びる形態でパッケージを形成することができる。この形態において、失禁用製品をパッケージ下部の底面上に設置し、その後に、ヒンジ要素をパッケージ上部及びパッケージ下部のうち一方によって形成される起立縁壁と係合させる。本発明の第一形態に関連して上述した通り、ヒンジ要素の突起によってこの係合を得ることができる。パッケージのこの設計及びそれによって可能になる組立てプロセスはコスト効率のよい自動組立法によりさらに有利になる。
【００１９】
パッケージを形成する工程は、射出成形によってパッケージの少なくとも一部を形成する工程を含んでよい。好ましくは、パッケージ全体が単一片に射出成形される。
【００２０】
多様なタイプの材料でパッケージを作ることができる。一般にポリプロピレン等のプラスチックが使用される。選択的に、失禁用製品の使用後にパッケージは、通常、処分されるので、可溶性澱粉と混合された紙または生分解性プラスチック等の生分解性材料で製品を有利に作ることができる。
【００２１】
本発明の第二形態の方法は、さらに本明細書において説明される本発明の第一形態の組合せの特徴に達するための適切な工程を含んでよい。
【発明を実施するための最良の形態】
【００２２】
男性の失禁用製品とそのためのパッケージとの本発明による組合せ並びに本発明による方法の実施形態について、図面を参照しながら以下に説明する。
【００２３】
図１の先行技術のパッケージは、背景技術で説明されている。
【００２４】
図２−５の実施形態において、男性の失禁用製品を収容する図２ではパッケージ２００は閉鎖形態で示されている。パッケージはパッケージ下部２０２及びパッケージ上部２０４を含み、下部と上部は図３及び４に示される通りヒンジによって永久的に相互に連結される。閉鎖要素は、ヒンジ連結を通じてパッケージ下部２０２と一体的に成形される顎要素２０６の形で提供されて、パッケージ上部２０４と係合してパッケージを閉鎖状態に維持する図２の位置からパッケージ上部と係合しない図３−５の位置へ顎要素が旋回できるようにする。顎要素２０６は、図２の閉鎖形態においてパッケージ下部２０２の下面と同軸に伸びかつその延長部を形成する第一下部２０８を有する。顎要素２０６の第二部２１０はパッケージ上部２０４の端部と重なりかつ係合する。パッケージを開けるためのユーザーによる顎要素２０６の扱いを容易にするために、顎要素にグリップ部２１４が形成され、ユーザーの１つまたはそれ以上の指先用のスペースを与えるためにパッケージ上部２０４に工程２１２が形成される。ユーザーは、グリップ部２１４と水平に親指を置きかつ親指をグリップ部に合わせることによってパッケージを都合よく開けることができる。
【００２５】
好ましくは射出成形によってパッケージが製造される場合に、パッケージは当初はパッケージ上部とパッケージ下部を相互に連結するヒンジ要素２１６がパッケージ下部２０２の下面及び図３の形態において下向きのパッケージ上部の上面と基本的に同軸に伸びる図３の形態で提供される。この形態において、失禁用製品１００（図４を参照のこと）はカラー部１１０がパッケージ下部２０２によって支持される状態でパッケージの中に置かれる。その後、パッケージ上部２０４はヒンジ要素２１６を中心にパッケージ下部２０２に向かって旋回される。ヒンジ要素は壁の厚みの薄いヒンジライン２１８及び２２０に沿ってパッケージ上部及び下部に連結される。図３の形態から図４の形態への遷移中、ヒンジ要素２１６の突起２２２及び２２４はパッケージ下部の起立縁壁２２６及び２２８とカチッとかみ合い、それによってヒンジ要素はヒンジライン２１８を中心に自由に旋回しないようになる。これでパッケージ上部だけがヒンジライン２２０を中心に旋回できる。
【００２６】
図３は、さらにパッケージ上部の起立縁壁２３０及び２３２を示している。縁壁２３０及び２３２は、パッケージが閉鎖されると縁壁２３０及び２３２がパッケージ下部の縁壁２２６及び２２８と係合するように配置される。縁壁２２６及び２２８は上部縁壁２３０及び２３２の対応するガイドまたはレール２３８及び２４０のためのガイド２３４及び２３６を形成する。顎要素２０６は、図２の閉鎖形態において起立縁壁２２６、２２８、２３０及び２３２と同軸に伸びる側壁２４２及び２４４を形成する。さらに、パッケージ内で失禁用製品が汚染される危険を減少するために、パッケージ上部２０４の自由端部は壁要素２４６を備える。
【００２７】
ヒンジ要素２１６は、図４の形態において方に対面する、すなわちパッケージの中の失禁用製品の方向に向う他の突起２４８を含む。突起２４８は失禁用製品をパッケージ下部に対して保持するために失禁用製品のカラー部１１０に重なりかつ係合する。好ましくは、カラー部をしっかりと、ただし簡単に解除可能に捕らえるために、図４の形態において突起２４８の起立距離はカラー部１１０の高さより僅かに、例えば０．５ｍｍ小さい。
【００２８】
図３は、さらに、射出成形機の金型の溝によって形成されるパッケージ下部２０２の底面の厚部２５０を示している。射出成形機においてパッケージは単一ピースで成形されることが好ましい。金型の溝、従って厚部２５０は、液状プラスチック材がパッケージ下部に均等に分配されるように射出入り口に配されるヒンジ要素２１６から伸びる。図３は、さらに、ヒンジライン２５２を示し、ここで顎要素２０６がパッケージ下部２０２に旋回可能に連結される。
【００２９】
パッケージ下部に失禁用製品が配置され、パッケージ上部が図４の形態に移った後、パッケージ上部はヒンジライン２２０を中心に旋回することによってさらにパッケージ下部へ向かって移動する。これによって、壁要素２４６（図３を参照のこと）の内向き部は失禁用製品の排液部の遠位管状部１０６の先端と係合する。パッケージ上部がパッケージ下部に向かってさらに旋回すると、パッケージ上部は、排液部の遠位管状部と排液部の蛇腹形近位部１０８との間の遷移部で排液部２０６をねじれさせる。同時に、蛇腹形部１０８の遠位部は遠位管状部１０６と一緒に折れ曲がり、一方、蛇腹形部１０８の残部はパッケージ上部がパッケージ下部に近づくにつれて圧縮される。図５は、図２の完全閉鎖形態の直前の、失禁用製品を収容するパッケージの中間形態を示している。図５は、パッケージ上部２０４に突起２５４が配備されていることを示している。図２の閉鎖形態において、突起２５４は顎要素２０６の第二部２１０（図２を参照のこと）の下向き面の対応するノッチと係合する。このノッチ−突起結合は、顎要素２０６とパッケージ上部との間の確実で、解除可能かつ再閉鎖可能な嵌合を提供して、パッケージを閉鎖状態に維持する。嵌合は、パッケージの中で折り畳まれた失禁用製品が図４のその初期非折畳み状態に向かって付勢されるとき力に対抗するのに充分な強さを持たなければならない。顎閉鎖メカニズムの安定性は、顎要素の第一部２０８によってパッケージ下部の下面の延長部を形成することによって改良されると考えられる。同様に、顎要素の上部２１０の重合はパッケージの安定性を改良する。
【００３０】
パッケージが開放されるとき、顎要素２０６はパッケージ上部から解放され、失禁用製品の付勢力はヒンジライン２２０（図４を参照のこと）を中心に図４の位置までパッケージ上部を旋回させる。次に、ユーザーは、汚染の危険が少なくしかも自身も洗浄できる流し台等の平面上にパッケージを置くことができる。その後、ユーザーはパッケージから失禁用製品を取り外して装着することができる。
【００３１】
図６の実施形態において、パッケージ６００はパッケージ下部６０２及びねじキャップ６０４の形のパッケージ上部を含む。図７は、パッケージ７００がパッケージ下部７０２及びパッケージ下部７０２の円筒形壁と摩擦係合するための下向きリム部を持つ蓋７０４を含む、他の実施形態を示している。蓋が紛失するのを防止するために蓋とパッケージ下部を相互に連結するストリップ７０６が配備される。図８は、失禁用製品が可剥性ホイル８０４によって閉鎖されるパッケージ下部８０２の中に収容される、パッケージ８００の他の実施形態を示している。図９のパッケージ９００において、パッケージ上部９０２及び下部９０４は長方形状を有し、パッケージ上部がパッケージ下部に対して矢印９０８によって示される通りにスライドできるようにされている。パッケージを開け易くするためにパッケージ上部には窪み９０６が形成される。図１０の実施形態において、パッケージ１０００は失禁用製品の少なくとも一部を収容するパッケージ下部１００２を含む。失禁用製品を折畳み状態に維持するためにストリップ１００４がパッケージ下部１００２及び失禁用製品の周りに結びつけられている。パッケージ１０００は失禁用製品を汚染から守るためにポーチまたはバッグ（図示されていない）をさらに含むことができる。図１０の実施形態と似ている他の実施形態（図示されていない）において、パッケージ下部１００２は装備されず、ストリップ１００４のみが失禁用製品を折畳み状態で保持する。
【００３２】
図２−９の実施形態において、パッケージの閉鎖時に巻上げられた失禁用製品を折畳み状態に保持する保持要素は、一般にパッケージ上部及びパッケージ下部への相互に連結を含む。図２−５の実施形態において、保持要素はパッケージ上部２０４及び顎要素２０６を含む。図６の実施形態において、保持要素は、並びにパッケージ下部６０２に設けられた外ネジ山と同様に内ネジ山を有するねじキャップ６０４を含む。図７の実施形態において、保持要素は、パッケージ下部７０２と摩擦係合する周縁リムを持つ蓋７０４を含む。図８において、保持要素は可剥性蓋８０４及びパッケージ下部８０２との接着連結を含む。図９の実施形態において、保持要素はスライド可能な蓋９０４及びパッケージ下部９０２との係合を含む。最後に、図１０において、保持要素はストリップ１００４及びパッケージ下部１００２との相互に連結を含む。
【００３３】
上記の実施形態の全てにおいて、最初にパッケージが開放されるとき回復不能に破損されるシールを配備することができる。従って、ユーザーはパッケージが予めに開放されたことを確認することができる。
【００３４】
図２−１０のパッケージの寸法は収容される特定の失禁用製品の寸法に伴い変動可能である。一般に、パッケージの寸法は約４−６ｃｍ×５−７ｃｍであり、パッケージの高さは閉鎖時に約８−１２ｍｍである。
【００３５】
ここに開示されたパッケージを用いて、失禁用製品の輸送時にかなりのスペースをさらに節約することができる。例えば、図２−５に示されるパッケージに梱包される失禁用製品３０個詰めの箱は１５００ｃｍ3の体積である。図１に示される先行技術のパッケージに梱包される失禁用製品３０個詰めの箱に比べて（体積は６８００ｃｍ3である）、図２−５に示されるパッケージが詰められる箱は４分の１未満のスペースしか占めない。このようなスペースの縮少は輸送及び保管コストを安くするばかりでなく、より多くの数の製品を携帯するかその代わりに以前より目立たずに数個の製品を保管できるので、ユーザーの自由を増大する。
【図面の簡単な説明】
【００３６】
【図１】男性の失禁用製品とパッケージの先行技術の組合せを示す。
【図２−５】本発明の組合せの第一実施形態を示す。
【図６−１０】本発明の組合せの他の実施形態を示す。
【図１】
2009509703.tif 000003
【図２】
2009509703.tif 000004
【図３】
2009509703.tif 000005
【図４】
2009509703.tif 000006
【図５】
2009509703.tif 000007
【図６】
2009509703.tif 000008
【図７】
2009509703.tif 000009
【図８】
2009509703.tif 000010
【図９】
2009509703.tif 000011
【図１０】
2009509703.tif 000012
【国際調査報告】
2009509703.tif 000013
2009509703.tif 000014
2009509703.tif 000015
2009509703.tif 000016
2009509703.tif 000017